(57)【要約】      （修正有） 【課題】持ち運びが便利で簡単に最良の視認角度に調整可能な、デジタル移動型装置の保持架台モジュールを提供する。【解決手段】保持架台モジュール２は、固定部材２１と回転部材２２とを含む。固定部材２１は、デジタル移動型装置の一端縁に設置する。固定部材２１は、弾性素子と、位置決め具とを含む。位置決め具は、弾性素子の一端縁に装着し、回転部材２２は固定部材２１に枢着し、この回転部材２２は位置決め孔を有し、かつ弾性素子と位置決め具は位置決め孔に設置する。また、回転部材が位置決め部材に対して回転するとき、弾性素子から位置決め部材を圧迫し、固定部材に当接することにより、位置決め部材と回転部材との間に一つの位置決め角度を維持させる。【選択図】図３
0003154137.tif 000002
【実用新案登録請求の範囲】
【請求項１】
前記デジタル移動型装置の一端縁に設置する固定部材と、
前記固定部材に枢着し、位置決め孔を有する回転部材と、
を備え
前記固定部材において、
弾性素子と、
前記弾性素子の一端に設置されている位置決め具と
を含み、
前記位置決め孔に前記弾性素子と前記位置決め具が設置されている、
前記回転部材が前記固定部材に対して回転する場合に、前記弾性素子から前記位置決め具を圧迫して前記固定部材に当接し、前記固定部材と回転部材との間に一つの位置決め角度を維持することを特徴するデジタル移動型装置に適用する保持架台モジュール。
【請求項２】
前記固定部材は、掛合部と容置部とを有し、
前記回転部材は、位置決め部と前記容置部に嵌着する枢着部とを有することを特徴とする、請求項１記載の保持架台モジュール。
【請求項３】
前記固定部材は、さらに前記容置部と前記枢着部を枢着して固定されている枢着部材を有することを特徴とする、請求項２記載の保持架台モジュール。
【請求項４】
前記容置部は、第１枢支孔を有し、
前記枢着部は、第２枢支孔を有し、
前記枢着部材は、前記第１枢支孔と前記第２枢支孔とを穿設することを特徴とする、請求項３記載の保持架台モジュール。
【請求項５】
前記枢着部材は、前記容置部に螺設し固定されている螺合部を有することを特徴とする、請求項４記載の保持架台モジュール。
【請求項６】
さらに前記固定部材に有する槽体に設置される圧制部材を含むことを特徴とする、請求項２記載の保持架台モジュール。
【請求項７】
前記圧制部材は、圧迫具と弾性具とを有し、
前記枢着部は、圧制面を有し、
前記圧迫具は、前記圧制面に対応することを特徴とする、請求項６記載の保持架台モジュール。
【請求項８】
前記圧迫具を圧迫し、前記槽体の方向に向って移動する場合に、前記圧迫具は、前記圧制面と当接して、前記枢着部と前記位置決め部とを連動して外部に向って曲がり上がることにより、前記回転部材と前記固定部材との間に、一つの角度を形成することを特徴とする、請求項７記載の保持架台モジュール。
【請求項９】
前記圧迫具は複数の止め脚部を有し、前記複数の止め脚部は前記槽体と掛合することを特徴とする、請求項８記載の保持架台モジュール。
【請求項１０】
前記枢着部の一端は、さらに係止ユニットを有し、前記回転部材が所定の角度に回転した場合に、前記係止ユニットは前記容置部に当接することを特徴とする、請求項２記載の保持架台モジュール。
【請求項１１】
前記固定部材は、さらに複数の位置決め脚部を含み、前記複数の位置決め脚部の各位置決め脚部は、それぞれ孔を有し、枢着部材により前記複数の孔を穿設し、前記固定部材と前記デジタル移動型装置とを固定されることを特徴とする、請求項１記載の保持架台モジュール。
【請求項１２】
前記掛合部は、磁性的素子であり、前記掛合部が前記位置決め部を吸着して固定することを特徴とする、請求項２記載の保持架台モジュール。
【請求項１３】
前記容置部は、さらに位置制限穴を有し、前記位置決め部が前記掛合部に当接する場合に、前記位置決め具は、前記位置制限穴に制限されていることを特徴とする、請求項２記載の保持架台モジュール。
【請求項１４】
前記弾性素子は、ばねであることを特徴とする、請求項１記載の保持架台モジュール。
【請求項１５】
前記弾性具は、ばねであることを特徴とする、請求項７記載の保持架台モジュール。
【請求項１６】
保持架台モジュールを含むデジタル移動型装置において、
前記保持架台モジュールにおいて、
前記デジタル移動型装置の一端縁に設置する固定部材と、
前記固定部材に枢着し、位置決め孔を有する回転部材と、
を備え
前記固定部材において、
弾性素子と、
前記弾性素子の一端に設置されている位置決め具と
を含み、
前記位置決め孔に前記弾性素子と前記位置決め具が設置されている、
前記回転部材が前記固定部材に対して回転する場合に、前記弾性素子から前記位置決め具を圧迫して前記固定部材に当接し、前記固定部材と回転部材との間に一つの位置決め角度を維持することを特徴する、デジタル移動型装置。
【請求項１７】
前記固定部材は、掛合部と容置部とを有し、
前記回転部材は、位置決め部と前記容置部に嵌着する枢着部とを有することを特徴とする、請求項１６記載のデジタル移動型装置。
【請求項１８】
前記固定部材は、さらに前記容置部と前記枢着部を枢着して固定されている枢着部材を有することを特徴とする、請求項１７記載のデジタル移動型装置。
【請求項１９】
前記容置部は、第１枢支孔を有し、
前記枢着部は、第２枢支孔を有し、
前記枢着部材は、前記第１枢支孔と前記第２枢支孔とを穿設することを特徴とする、請求項１８記載のデジタル移動型装置。
【請求項２０】
前記枢着部材は、前記容置部に螺設し固定されている螺合部を有することを特徴とする、請求項１９記載のデジタル移動型装置。
【請求項２１】
さらに前記固定部材に有する槽体に設置される圧制部材を含むことを特徴とする、請求項１７記載のデジタル移動型装置。
【請求項２２】
前記圧制部材は、圧迫具と弾性具とを有し、
前記枢着部は、圧制面を有し、
前記圧迫具は、前記圧制面に対応することを特徴とする、請求項２１記載のデジタル移動型装置。
【請求項２３】
前記圧迫具を圧迫し、前記槽体の方向に向って移動する場合に、前記圧迫具は、前記圧制面と当接して、前記枢着部と前記位置決め部とを連動して外部に向って曲がり上がることにより、前記回転部材と前記固定部材との間は、一つの角度を形成することを特徴とする、請求項２２記載のデジタル移動型装置。
【請求項２４】
前記圧迫具は複数の止め脚部を有し、前記複数の止め脚部は前記槽体と掛合することを特徴とする、請求項２３記載のデジタル移動型装置。
【請求項２５】
前記枢着部の一端は、さらに係止ユニットを有し、前記回転部材が所定の角度に回転した場合に、前記係止ユニットは前記容置部に当接することを特徴とする、請求項１７記載のデジタル移動型装置。
【請求項２６】
前記固定部材は、さらに複数の位置決め脚部を含み、前記複数の位置決め脚部の各位置決め脚部は、それぞれ孔を有し、枢着部材により前記複数の孔を穿設し、前記固定部材と前記デジタル移動型装置とを固定されることを特徴とする、請求項１６記載のデジタル移動型装置。
【請求項２７】
前記掛合部は、磁性的素子であり、前記掛合部が前記位置決め部を吸着して固定することを特徴とする、請求項１７記載のデジタル移動型装置。
【請求項２８】
前記容置部は、さらに位置制限穴を有し、前記位置決め部が前記掛合部に貼り付ける場合に、前記位置決め具は、前記位置制限穴に制限されていることを特徴とする、請求項１７記載のデジタル移動型装置。
【請求項２９】
前記弾性素子は、ばねであることを特徴とする、請求項１６記載のデジタル移動型装置。
【請求項３０】
前記弾性具は、ばねであることを特徴とする、請求項２２記載のデジタル移動型装置。
【考案の詳細な説明】
【技術分野】
【０００１】
本考案は一種のデジタル移動型装置およびその保持架台モジュールに係わり、特に一種の所定の角度を事前に設定でき、安定にデジタル移動型装置を保持することができる保持架台モジュールに係わる。
【背景技術】
【０００２】
移動型通信装置の使用率が普及するにつれ、各製造業者は市場シェア向上を目指すため、移動型通信装置の付帯機能がますます豊富化になりつつある。このため、移動型通信装置は、多様化な機能に関して、マルチメディア、ワイヤレスインターネット、ゲーム及び多人数同時通話など、消費者の要求に応える付加価値がある。機能面のバリエーションのほか、移動型通信装置の外観は消費者の購入意欲を掻き立てるポイントでもある。
【先行技術文献】
【特許文献】
【０００３】
【特許文献１】中華民国特許第I280772号
【考案の概要】
【考案が解決しようとする課題】
【０００４】
図１は、中華民国特許第I280772号に開示された先行技術による移動型通信装置の態様図を示す。この図において、該移動型通信装置において、本体１０、正面シェル１０１と、背面シェル１０２とを含む。そのうち、正面シェル１０１は本体１０の正面に設置し、背面シェル１０２は、本体１０の反面に設置する。その上、正面シェル１０１は、表示画面１０３と操作キーボード１０４とを有する。通常、移動型通信装置を机の上に平置く場合には、表示画面１０３の最大の可視角度の範囲は１３５度しかなかった。さらに、逆光作用により使用者の目線が表示画面１０３の可視角度の範囲外になると、表示画面103上の着信番号通知や時間などを確認することが看にくくなっている。このほか、移動型通信装置でビデオまたはオディオ情報を再生するとき、好ましい表示画面の視認性を図るため、使用者は、自らの手で移動型通信装置を最良な視認角度に調整しなければならない。
【０００５】
上記の問題点に鑑みてなされる、一部の業者は携帯電話用クレードルなどのアクセサリ商品を製造し、消費者の購入意欲を掻き立てるのみならず、上記の置くにくい問題や、表示画面が見えにくい問題なども解消できると期待されている。
【０００６】
しかしながら、先行技術の携帯電話用クレードルが携帯電話の装着する機能を有するが、携帯電話と一緒に持ち運びに不便である。このため、使用者にもう一つの携帯電話用クレードルを購入しなければならないので、極めて不便である。
【０００７】
さらに、現在流行中のデジタルカメラ付き移動型通信装置において、もしデジタルカメラのようにデジタルカメラ用スタンドと同じような位置きめ機能が持たせば、消費者の購入意欲を掻き立てる一つの大事な要素でもなるという考えであるから、業者より、ミニ型デジタルカメラ用スタンドの開発に着手した。該ミニ型デジタルカメラ用スタンドの構造は、一般のカメラ用スタンドとはほぼ同じであるが、別途持ち運ぶ手間が必要であるし、一部のデジタルカメラ用スタンドの整体体積が移動型通信装置自身より大きいことから、市場の売り行きがあまり良いではなっかた。
【０００８】
このほか、一部のデジタル移動型装置において、例えば、デジタルフォトフレームなど、筐体の裏側に保持架台モジュールが設けられて、筐体を支えられている。しかし、このようの保持架台モジュールが、ボルトまたはねじなどによって、その筐体が固定されているので、使用者から保持架台モジュールの回転角度を調整する際に、保持架台モジュールが外力を受けると、不安定状態に陥り恐れがあり、デジタルフォトフレームを傾倒しやすくなり、希望の操作面の上に安定に置くことができない。
【課題を解決するための手段】
【０００９】
本考案は、上記の問題点に鑑みてなされたものであり、携帯電話用クレードルの携行の不便性と、先行技術による保持架台モジュールの位置決め角度に維持する困難などの問題点を解消し、一種のデジタル携帯装置およびその保持架台モジュールを提供することを本考案の主な目的である。
【００１０】
本考案の目的に基づいて、一種の保持架台モジュールを提供する。デジタル移動型装置が支えられる保持架台モジュールにおいて、固定部材と、回転部材とを含む。固定部材は、弾性素子と、位置決め具とを含む。位置決め具は、弾性素子の一端に装着する。回転部材は、固定部材と枢着し、位置決め孔を有する。それに、弾性素子と位置決め具は、位置きめ孔に設置されている。さらに、回転部材が固定部材に対応して回転される場合に、弾性素子は、位置決め具を圧迫して固定部材に当接し、固定部材と回転部材との間は、一つの位置決め角度を維持することができる。
【００１１】
また、固定部材は掛合部と容置部を有し、回転部材は位置きめ部と枢着部を有し、その枢着部は容置部に嵌着されている。
【００１２】
固定部材は、さらに枢着部材を有し、容置部と枢着部とを枢接し固定されている。
【００１３】
上記した通り、本考案の保持架台モジュールは、弾性素子より位置決め具を圧迫して固定部材に当接する。使用者が、この保持架台モジュールを操作する場合に、固定部材と回転部材は、弾性素子より位置決め具に圧迫することによって、位置決め具と固定部材との間に摩擦力が生まれるため、固定部材と回転部材との間は、一つの位置決め角度を維持できるので、操作の手感触が感じられる。
【００１４】
本考案の目的を達成するため、一種の保持架台モジュールを備えるデジタル移動型装置を提供する。保持架台モジュールは、固定部材と、回転部材とを含む。固定部材は、デジタル移動型装置の一端に設置する。また、この固定部材は、弾性素子と、弾性素子の一端に装着する位置決め具とを含む。回転部材は、位置決め具と枢着し、位置決め孔を有する。それに、弾性素子と位置決め具は、位置決め孔に設置されている。さらに、回転部材が位置決め部材に対応して回転される場合に、弾性素子は、位置決め具を圧迫して固定部材に当接し、固定部材と回転部材は、一つの位置決め角度を維持することができる。
【考案の効果】
【００１５】
本考案の効果は、弾性素子が位置決め具に当接することにより、位置決め具は、容置部にて、摩擦力が生まれる。この摩擦力により、使用者がこの保持架台モジュールを操作するときに、摩擦力のある感触が感じられて、また、回転部材と固定部材との間に一定の角度を形成し、回転部材の任意な揺れによるデジタル移動型装置の不安定な支え状態を避けることができる。
【００１６】
本考案のもう一つの効果は、圧迫具を圧迫することにより、圧迫具を圧制面に当接し、位置決め部材を外部に向って曲がり上がって、使用者による回転部材の引くことに便利性が与える。
【図面の簡単な説明】
【００１７】
【図１】先行技術による移動型装置の態様図である。
【図２】本考案によるデジタル移動型装置およびその保持架台モジュールの態様図である。
【図３】本考案によるデジタル移動型装置およびその保持架台モジュールの組合せ図である。
【図４】本考案によるデジタル移動型装置およびその保持架台モジュールの分解図である。
【図５】本考案によるデジタル移動型装置およびその保持架台モジュールが支え状態において態様図である。
【考案を実施するための形態】
【００１８】
前記した本考案の技術内容、特長および効果については、以下の参考図面に沿って本考案によるデジタル移動型装置およびその保持架台モジュールの実施形態の詳細説明により明らかになろう。より理解しやすいため、以下の実施形態において、同じ構成要素については同じ符号を付ける。
【００１９】
図２は、本考案によるデジタル移動型装置およびその保持架台モジュールの態様図を示す。また、図３は、本考案によるデジタル移動型装置およびその保持架台モジュールの組合せ図を示す。本実施形態において、デジタル移動型装置３は、保持架台モジュール２を含む。保持架台モジュール２は、固定部材２１と、回転部材２２と、圧制部材２３とを含む。
【００２０】
図４は、本考案によるデジタル移動型装置およびその保持架台モジュールの実施形態の分解図を示す。本実施形態において、固定部材２１は、柱状体であり、槽体２１１、掛合部２１２、容置部２１３、弾性素子２１４と位置決め具２１５とを含む。位置決め部材２１の一端には槽体２１１を形成し、他端には掛合部２１２を形成する。それで、位置決め部材２１の中央部には容置部２１３を形成する。掛合部２１２の頂端部には凹み溝２１２ａを形成し、底端部には位置決め脚部２１２ｂを形成する。この位置決め脚部２１２ｂには孔２１２ｃを有し、この孔２１２ｃを介して保持架台モジュールをデジタル移動型装置３に装着することができる。容置部２１３は、第１枢支孔２１３ａと、位置制限穴２１３ｂとを含む。槽体２１１の壁面は、一定間隔おきに、複数の掛合部２１１ａを配設する。槽体２１１の底端部から延伸される位置決め脚部２１１ｂがある。この位置決め脚部２１１ｂには孔２１１ｃを設け、この孔２１１ｃを介して、デジタル移動型装置３に装着することができる。本実施形態において、位置決め部材２１を鋳造技術の成形方法で成形できる便利性を図るために、位置決め部材２１の材質は、亜鉛合金など低融点金属を採用する。それに、位置決め部材２１は亜鉛合金など低融点金属を融点よりも高い温度で熱して液体にしたあと、金型に流し込み、冷やして目的の鋳造手段によって形成される。弾性素子２１４は、ばねで実施される。位置決め具２１５は、炭素鋼からなるボールで実施される。ただし、この限りでない。
【００２１】
回転部材２２は、柱状体であり、位置決め部２２１と枢着部２２２とを有する。位置決め部２２１は、回転部材２２の一端縁に位置し、枢着部２２２は、回転部材２２の他端縁に位置する。位置決め部２２１の一側には、掛合部２１２の凹み溝２１２ａが嵌着可能である。枢着部２２２の側壁面には第２枢支孔２２２ａと位置決め孔２２２ｂとを形成する。枢着部２２２の頂端部には圧制面２２２ｃを形成し、底端部には下方に向って延伸して係止ユニット２２２ｄを形成する。また、第１枢支孔２１３ａ、第２枢支孔２２２ａとも、枢着部材２４が穿設可能である。本実施形態において、回転部材２２は、鉄・ニッケル合金などの金属を使用し、回転部材２２の表面にはメッキ処理(化学ニッケルメッキなど)を施し、美観効果を達成する。このほか、枢着部材２４は螺合部２４１を有し、ボルトで実施される。ただし、この限りでない。
【００２２】
圧制部材２３は、圧迫具２３１と、弾性具２３２とを有する。圧迫具２３１は蓋体形状であり、その側壁の底端部から延伸される複数の止め脚部２３１ａを形成する。これらの複数の止め脚部２３１ａは、掛合部２１１ａと互いに対応する。弾性具２３２はばねであり、圧迫具２３１と槽体２１１との間に設置される。
【００２３】
図４と図５を参照し、図５は、本考案によるデジタル移動型装置およびその保持架台モジュールが支え状態において態様図を示す。この保持架台モジュール２を組み立てるとき、まず、弾性素子２１４と位置決め具２１５を位置決め孔２２２ｂに設置される。それから、枢着部材２４を第１枢支孔２１３ａと第２枢支孔２２２ａに穿設し、枢着部材２４を回転しながら、容置部２１３と互いに螺設し固定されている。回転部材２２は、固定部材２１１に枢設すると同時に、弾性素子２１４は、位置決め具２１５の圧迫によって弾性戻り力が生まれる。これにより、弾性素子２１４は、この弾性戻り力によって、位置決め具２１５を圧迫して当接する。そのため、位置決め具２１５を位置制限穴２１３ｂと螺合して、移動可能の位置を制限される。続いて、弾性具２３２を槽体２１１に収容できるようにするために、圧制部材２３を槽体２１１に装着し、圧迫具２３１の止め脚部２３１ａを槽体２１１の掛合部と掛合する。最後に、ねじまたはボルトを利用して孔２１２ｃを通過して、保持架台モジュール２を任意平面に取り付け、また、ねじまたはボルトを利用して孔２１１ｃを通過して、デジタル移動型装置３を保持架台モジュール２に取り付ける。
【００２４】
使用者がデジタル移動型装置３の再生画像または着信番号通知を見るときに、保持架台モジュール２をすぼめる状態から支える状態に移動し、デジタル移動型装置３を支えることができる。使用者が保持架台モジュール２を操作するときに、まず、圧迫具２３１を圧下して、枢着部２２２の圧制面２２２ｃと弾性具２３２に当接することによって、弾性具２３２はその圧力で位置エネルギーを保存し、位置決め具２１５を位置制限穴２１３ｂから脱離する。それに伴い、枢着部２２２の圧制面２２２ｃは、圧迫具２３１に当接することによって、下方に向って位置を移動すると同時に、それを連動して、枢着部２２２の他端を枢着部材２４を軸心とし、上方に移動する。この移動によって、位置決め部２２１は、掛合部２１２から離れる方向に向って約２０度程度まで曲がり上がる。引き続き、位置決め部２２１を引き、さらに掛合部２１２から離れる方向に向って回転させる。回転部材２２と固定部材２１との間の角度が約８０度程度までになると、係止ユニット２２２ｄを容置部２１３に当接し、回転部材２２の最大開口角度を制限できるようになる。回転部材２２が軸支されて回転する過程において、弾性素子２１４と位置決め具２１５は枢着部２２２の回転と連動して、容置部２１３に対して回転し、位置を移動する。回転している過程において、弾性素子２１４から位置決め具２１５に対して作用力を加えることにより、位置決め具２１５が容置部２１３に当接して摩擦力が生まれる。この摩擦力によって、回転部材２２を回転過程において、一つの位置決め角度を変わらずに維持できるので、使用者にとって操作による摩擦がある感触が感じられる。このため、回転部材２２は、重力または誤り操作の影響による任意な揺れがない。使用者が圧迫具２３１に加わる力を付勢しないと、弾性具２３２に対する圧力がなくなったため、圧縮したエネルギーを解放し、原状に戻すことにより、圧迫具２３１も元の位置に戻すことができる。
【００２５】
また、使用者はこの保持架台モジュール２をすぼめろうとするときに、位置決め部２２１に当接することにより、掛合部２１２の方向に向ってすり寄って移動することができる。位置決め部２２１の一端縁が掛合部２１２の凹み溝２１２ａに嵌着しているときに、位置決め具２１５は、位置制限穴２１３ｂに滑り込んで位置制限を受けて、回転部材２をさらに固定することができる。
【００２６】
このほか、掛合部２１２は、磁性的材質で構成され、位置決め部２２１を吸着することにより、位置決め部２２１の掛合部２１２から脱離することを防止する。
【００２７】
前記説明の通り、本考案によるデジタル移動型装置およびその保持架台モジュールの効果は、弾性素子２１４が位置決め具２１５に当接することにより、位置決め具２１５は、容置部２１３にて、摩擦力が生まれる。この摩擦力により、使用者がこの保持架台モジュール２を操作するときに、摩擦力のある感触が感じられて、回転部材２２と固定部材２１との間に一定の角度を形成し、回転部材の任意な揺れによるデジタル移動型装置の不安定な支え状態を避けることができる。
【００２８】
本考案によるデジタル移動型装置およびその保持架台モジュールのもう一つの効果は、圧迫具２３１を圧迫することにより、圧迫具２３１を圧制面２２２ｃに当接し、位置決め部材２２１を外部に向って曲がり上がって、使用者による回転部材２２の引くことに便利性が与える。
【００２９】
以上は、本考案を実施するための最良の形態の項においてなした具体的な実施態様および実施例は、あくまでも、本考案の技術内容を明らかにするものであって、そのような具体例にのみ限定して狭義に解釈されるべきものではなく、当業者は、本考案の精神および添付の特許請求の範囲内で変更して実施することができる。
【符号の説明】
【００３０】
１０        本体
１０１      正面シェル
１０２      背面シェル
１０３      表示画面
１０４      操作キーボード
２          保持架台モジュール
２１        固定部材
２１１      槽体
２１１ａ    掛合部
２１１ｂ    位置決め脚部
２１１ｃ    孔
２１２      掛合部
２１２ａ    凹み溝
２１２ｂ    位置決め脚部
２１２ｃ    孔
２１３      容置部
２１３ａ    第１枢支孔
２１３ｂ    位置制限穴
２１４      弾性素子
２１５      位置決め具
２２        回転部材
２２１      位置決め部
２２２      枢着部
２２２ａ    第２枢支孔
２２２ｂ    位置決め孔
２２２ｃ    圧制面
２２２ｄ    係止ユニット
２３        圧制部材
２３１      圧迫具
２３１ａ    止め脚部
２３２      弾性具
２４        枢着部材
２４１      螺合部
３          デジタル移動型装置
【図１】
0003154137.tif 000003
【図２】
0003154137.tif 000004
【図３】
0003154137.tif 000005
【図４】
0003154137.tif 000006
【図５】
0003154137.tif 000007